(57)【要約】【課題】長期間の保存に伴う乾燥化を防止するとともに、衛生面にも優れており、かつ小型化されていることで携帯にも便利なおしぼり収納パックを提供する。【解決手段】収納ケースと、前記収納ケース内に収納される水又は溶液と、前記収納ケース内に配設された、前記水又は溶液を水密性を保った状態で密封するシール材と、前記シール材上に載置された、圧縮かつ乾燥された吸水性のおしぼりと、前記収納ケースの開口部を覆い、前記おしぼりと、前記水又は溶液とを前記収納ケース内に封入する蓋材とを備える。【選択図】図１
2007330526.tif 000002
【特許請求の範囲】
【請求項１】
収納ケースと、
前記収納ケース内に収納される水又は溶液と、
前記収納ケース内に配設された、前記水又は溶液を水密性を保った状態で密封するシール材と、
前記シール材上に載置された、圧縮かつ乾燥された吸水性のおしぼりと、
前記収納ケースの開口部を覆い、前記おしぼりと、前記水又は溶液とを前記収納ケース内に封入する蓋材と、
を備えるおしぼり収納パック。
【請求項２】
前記シール材に、水密性を保った状態でミシン目状の切取線が設けられた
請求項１記載のおしぼり収納パック。
【発明の詳細な説明】
【技術分野】
【０００１】
本発明は、おしぼり収納パックに関し、詳しくは、携帯可能な使い捨てタイプのおしぼりを収納したおしぼり収納パックに関する。
【背景技術】
【０００２】
従来のおしぼりはタオル生地にて作られ、繰り返して使用されていたが、衛生面の観点から最近は使い捨てのものが多くなってきている。通常、このような使い捨てタイプのおしぼりは、水や消毒液等を予め含ませた不織布、紙、コットン、ガーゼ等のおしぼりと、このおしぼりを密封した状態で収納する包装袋とから構成されている。
【０００３】
ところが、包装袋は完全には密封されていないことから、長期間経過するとおしぼりに浸み込んだ水や消毒液は徐々に外部に発散し、時間と供におしぼりは乾燥していくという問題があった。したがって、従来のおしぼりは、短期間で使用しなければならないものが多く、長期間保存するには適していなかった。
【０００４】
また、おしぼりは常に包装袋の中で水分を含んだ状態であるため、細菌やばい菌、場合によってはカビ等が発生することがあり、衛生面からの問題があった。そこで、水以外に防カビ剤等を混入する方法も考えられるが、コスト面の問題が発生する。
【０００５】
以上のような問題を解決するため、後掲する特許文献１に記載されたようなおしぼりが開発されている。すなわち、乾燥させたおしぼりと、水、消毒液等を封入したパックを包装袋に入れておき、使用する際に乾燥させたおしぼりを水、消毒液等に浸み込ませるというものである。
【０００６】
このようにおしぼりと水等を分離した構成であれば、時間とともにおしぼりが乾燥していくという問題を回避することができる。すなわち、使用する時におしぼりに水等を含ませるため、水分を吸収した状態のおしぼりを使用することができる。また、パック内のおしぼりは乾燥した状態で保存されているため、清潔に保たれており衛生面上も優れている。
【特許文献１】実用新案登録第３０７２９６０号公報
【発明の開示】
【発明が解決しようとする課題】
【０００７】
ところが、上記特許文献１に記載のおしぼりは、おしぼりの湿潤性、衛生面については効果があるものの、依然として以下のような課題が残っていた。
【０００８】
すなわち、上述のようなおしぼりは、携帯して用いられることが多いため、さらなる小型化が求められていた。また、小型のおしぼりであれば、輸送コストや保管コストを抑えることができるというメリットがある。そこで、おしぼり自体を小さくする方法も考えられるが、そうすると手や顔を十分に拭くことができないという新たな問題が発生する。
【０００９】
本発明は、上記従来の問題を解決するために提案するものであって、おしぼりの乾燥化を防ぐと供に衛生面にも優れており、かつ小型で携帯に適したおしぼりを提供することを目的とする。
【課題を解決するための手段】
【００１０】
本発明のおしぼり収納パックは、収納ケースと、前記収納ケース内に収納される水又は溶液と、前記収納ケース内に配設された、前記水又は溶液を水密性を保った状態で密封するシール材と、前記シール材上に載置された、圧縮かつ乾燥された吸水性のおしぼりと、前記収納ケースの開口部を覆い、前記おしぼりと、前記水又は溶液とを前記収納ケース内に封入する蓋材とを備える。
【００１１】
この構成によれば、使用する直前に乾燥したおしぼりを溶液等に浸すことで、おしぼりに十分な量の水分を含ませることができる。したがって、従来のように長期間保存することにより水分が蒸発し、その結果使用するときには濡れおしぼりとしての目的を果たせなくなるという問題を防止することができる。また、おしぼりは乾燥状態のまま保存されているため、清潔性を保ち、衛生面においても優れている。さらに、収納ケースに収納されているため、十分な強度を保つことができる。したがって、例えば旅行時に他の荷物と供におしぼりを入れても、荷物に押しつぶされて、溶液等が飛散するということはない。
【００１２】
さらに、おしぼりは圧縮されているため、小型にすることが可能であり、携帯するのには非常に便利である。また、おしぼりを小型にすることで、おしぼり収納パック自体も小型に構成することができ、輸送コストや保管コストを削減することができるというメリットもある。
【発明の効果】
【００１３】
以上のような構成を採用することにより、本発明のおしぼり収納パックは、長期間の保存に伴う乾燥化を防止するとともに、衛生面にも優れており、かつ小型化されていることで携帯にも便利である。
【発明を実施するための最良の形態】
【００１４】
以下、添付図面を参照して、本発明の実施の形態につき説明し、本発明の理解に供する。図１は、本実施形態のおしぼり収納パックの断面図である。
【００１５】
本実施形態のおしぼり収納パック１は、使い捨てタイプでかつ携帯可能になっており、図１に示すように収納ケース２と、溶液３と、シール材４と、おしぼり５と、蓋材６とから構成されている。
【００１６】
収納ケース２は、上方に開口した円柱形状をしており、おしぼり５や溶液３を収納する収納空間２ａを形成している。収納ケース２の材料については、ある程度の強度を保っていることが好ましく、本実施形態では合成樹脂が用いられている。すなわち、例えば、かばんに他の荷物と供に収納ケース２を入れた場合であっても、他の荷物に押しつぶされたりして容易に変形しない程度の強度は必要とされる。収納ケース２の大きさは、おしぼり５の用途、目的に応じて異なり、具体的には溶液３の量やおしぼり５の大きさ等に基づいて決定される。本実施形態では、直径が３から５ｃｍ程度、高さが２から４ｃｍ程度で例えば胸ポケット等にも十分に入れることができる大きさとなっている。
【００１７】
溶液３は、収納空間２ａの下部位置に収納されている。溶液３の種類は、用途、目的によって種々のものが考えられ、本実施形態では化粧液が用いられている。化粧液の成分は、特に限定されず、例えば保湿効果、抗菌効果、抗炎症効果等の美肌効果等の好ましい効果を発揮するものが用いられる。収納される化粧液の量は、一回に用いられる適量になっているため、ユーザは常に適量の化粧液を使用することができる。
【００１８】
シール材４は、前記溶液３を水密性を保った状態で密封している。シール材４の材質については、前記水密性を保つことができれよく、例えばポリプロピレン等の樹脂フィルムが用いられている。このシール材４の水密性により、長期間保存しても溶液３が蒸発するのを防ぐことができる。さらに、シール材４の中央部表面には、ミシン目状の切取線が形成されており、当該切取線をおしぼり５で押下することで容易に破れる構成となっている。なお、この切取線は、シール材４の裏面側までは達していないため、シール材４の水密性は保たれている。
【００１９】
おしぼり５は、シール材４上に載置されている。すなわち、収納空間２ａの下側には溶液３が、上側にはおしぼり５が配置され、その間を水密性のシール材４か仕切る構成となっている。このため、おしぼり５と溶液３が収納ケース２内で混合することはない。
【００２０】
おしぼり５の材質については、吸水性を有していれば特に限定はせず、例えば不織布、紙、コットン、ガーゼ等様々なものを用いることができるができる。本実施形態のおしぼり５は、化粧品として用いられるため、肌触りがよく使い心地に優れている綿１００パーセントからなるコットンが用いられている。また、おしぼり５は圧縮、乾燥されているために、小型に構成されている。ただし、おしぼり５に溶液３が含浸されると、乾燥したおしぼり５は吸水を開始して膨張する。
【００２１】
蓋材６は、収納ケース２の開口部を塞いで、溶液３、おしぼり５を収納ケース２内に密閉する。蓋材６は、例えば合成樹脂フィルムからなっており、収納ケース２から容易に剥離することができる。
【００２２】
次に、本実施形態におけるおしぼりの使用方法について説明する。図２は、本実施形態のおしぼり収納パックを使用するときのフロー図である。
【００２３】
まず、図２Ａに示す状態から、収納ケース２に貼着された蓋材６を剥離し、収納ケース２を開封する（図２Ｂ）。収納ケース２内には、圧縮されたおしぼり５がシール材４上に載置されている。
【００２４】
そして、図２Ｃに示すように、おしぼり５をシール材４の切取線に沿って下方に押し付ける。切取線が形成されていることで、シール材４は破れることができる。シール材４が破れると、おしぼり５を溶液３に漬ける。乾燥した状態から溶液３に漬けられたおしぼり５は、いわゆる毛細管効果により瞬時に吸水を開始する。
【００２５】
図２Ｄに示すように、全ての溶液３を吸水したおしぼり５は、膨張して本来の大きさに復元する。復元した状態のおしぼり５は、ロール状に丸められた円柱形状をしているが、拡げると顔や手、目元等を拭くのに十分な大きさとなっている。このようにして、乾燥したおしぼり５が所定量の化粧液を含浸することで、目もと用，フェイス用等のシートタイプ状の化粧品として用いることが出来る。
【００２６】
おしぼり５は圧縮されているために小型に構成することができ、ユーザ側にとっては旅行時、出張時等に携帯するのに便利である。なお、収納ケース２はある程度の強度をもっているため、他の荷物と供に旅行かばん等にいれても押しつぶされることはない。また、おしぼり５を小型に梱包できることから、製造者側にとっては輸送コスト、保管コストを抑えることができるというメリットがある。
【００２７】
また、化粧液は、シール材６により完全に密封されているため、外部に化粧液が発散することはなく、長期間保管することができる。
【００２８】
さらに、おしぼり５は、収納ケース２内に乾燥した状態で保存されているため細菌やカビ等が繁殖することはなく、清潔で衛生的にも優れている。そして、使用する時になって初めておしぼり５を溶液３に浸すため、十分に湿潤した状態のおしぼり５を使用することができる。
【００２９】
尚、上述した実施の形態は、本発明を具体化した一例であって、本発明の技術的範囲を限定する性格のものではない。
【００３０】
次に、別の実施形態のおしぼり収納パックについて説明する。上述の実施形態と共通する点は説明を省略し、異なる点についてのみ説明する。本実施形態が上述の実施形態と異なる点は、溶液として、滅菌性、殺菌性のある消毒液が用いられている点である。消毒液の成分は、特に限定されないが、例えばエタノール等のアルコール系消毒液が好ましい。なお、おしぼりの使用方法については、上述と同様である。
使用前におしぼりを、消毒液に漬けて溶液を含ませることで使用する。
【００３１】
このような構成であれば、十分な量の消毒液で手を拭くことができ、例えば、ピクニック等のアウトドアで食事をするときであっても、手を清潔に保った状態で食事をとることができる。また、例えば飛行機の機内でおしぼりが配られることがあるが、本実施形態のおしぼりであれば、予め乗客の搭乗前におしぼりを座席に用意しておくことができる。これにより、客室乗務員は短時間に乗客全員におしぼりを配るという手間を省くことができ、他方、乗客は必要なときにおしぼりを使用することが出来る。
【００３２】
さらに、別の実施形態のおしぼり収納パックとして、収納ケースに収納する溶液を、例えばアロマテラピー効果を有するエッセンシャルオイルにしてもよい。こうすることで、時間や場所を問わず手軽にアロマテラピーを楽しめることができる。
【００３３】
以上のように、おしぼりに含浸される溶液を、用途目的に応じて変えることで、一つの構造で個別の使用目的に合致した多用な用途に用いることが出来る。
【００３４】
また、おしぼりが含浸される液体として、水を用いてもよい。水が用いられる場合、長期間保存することができるよう例えば亜炭や褐炭等でろ過されたものが好ましい。
【産業上の利用可能性】
【００３５】
本発明にかかるおしぼり収納パックは、個別の使用目的に応じて多様な用途に使用することができ、化粧用、消毒用、アロマテラピー用等種々の用途において有用である。
【図面の簡単な説明】
【００３６】
【図１】本実施形態におけるおしぼり収納パックの断面図。
【図２】本実施形態におけるおしぼり収納パックを使用するときのフロー図
【符号の説明】
【００３７】
１  おしぼり収納パック
２  収納ケ−ス
２ａ  収納空間
３  溶液
４  シール材
５  おしぼり
６  蓋材
【図１】
2007330526.tif 000003
【図２】
2007330526.tif 000004